(57)【要約】 【課題】チューブ部材の異常を正確に検出できるようにする。【解決手段】寝室内に臨むにように配設されて寝室内の圧力が作用する補助受圧部（36）を設け、受圧部（22）の検知圧力と補助受圧部（36）の検知圧力とを比較することで、チューブ部材（21）の異常状態を検出する。【選択図】図３
2010075379.tif 000002
【特許請求の範囲】
【請求項１】
就寝者の体動が作用する中空状のチューブ部材（21）と、該チューブ部材（21）の端部が接続されると共に該チューブ部材（21）の内圧を検知する受圧部（22）とを備え、該受圧部（22）の検知圧力に基づいて就寝者の睡眠状態を判定する睡眠判定装置であって、
寝室内に臨むにように配設されて寝室内の圧力が作用する補助受圧部（36）と、
上記受圧部（22）の検知圧力と上記補助受圧部（36）の検知圧力とを比較することで、上記チューブ部材（21）の異常状態を検出する異常検出部（44）とを更に備えていることを特徴とする睡眠判定装置。
【請求項２】
請求項１において、
上記受圧部（22）には、上記チューブ部材（21）の端部が着脱自在に取り付けられる連結部（23）が設けられていることを特徴とする睡眠判定装置。
【請求項３】
請求項１又は２において、
上記異常検出部（44）が上記チューブ部材（21）の異常状態を検出すると、異常信号を表示する表示部（33,34,35）を更に備えていることを特徴とする睡眠判定装置。
【請求項４】
請求項１乃至３のいずれか１つにおいて、
上記補助受圧部（36）は、寝室内の音を検知するための音検知部を兼ねていることを特徴とする睡眠判定装置。
【発明の詳細な説明】
【技術分野】
【０００１】
本発明は、就寝者の体動が作用するチューブ部材を備え、就寝者の睡眠状態を判定する睡眠判定装置に関するものである。
【背景技術】
【０００２】
従来より、健康管理等を目的として就寝者の睡眠状態を判定する睡眠判定装置が知られている。この種の睡眠判定装置として、就寝者の体動をチューブ部材によって検知するものがある。
【０００３】
特許文献１には、この種の睡眠判定装置が開示されている。この睡眠判定装置は、就寝者の体動信号（体の粗動や心拍・呼吸由来の微動等）を検出し、この体動信号に基づいて就寝者の睡眠状態を検出するものである。睡眠判定装置は、センサ部と本体部とを備えている。センサ部は、寝具に敷設されるチューブ部材によって構成され、このチューブ部材に就寝者の体動が作用する。チューブ部材の端部は、本体部に設けられる受圧部に着脱自在に接続されている。受圧部は、チューブ部材の内圧が作用する、いわゆるマイクロフォンで構成されている。
【０００４】
就寝者が寝具上で体動を生起すると、就寝者の体動がチューブ部材に作用する。チューブ部材の内圧は、本体部の受圧部に作用する。受圧部からは、就寝者の睡眠状態に応じて変化する信号（いわゆる体動信号）が出力される。本体部では、このような体動信号に基づいて、就寝者が睡眠しているか覚醒しているかの判定や、寝具上に在床しているか寝具から離れているかの判定等が行われる。睡眠判定装置では、このようにして得られた就寝者の睡眠判定結果が時々刻々と記憶されていく。睡眠判定装置に記憶された睡眠に関するデータは、就寝者の健康管理等に利用される。
【特許文献１】２００８−１４２２３８号公報
【発明の開示】
【発明が解決しようとする課題】
【０００５】
ところで、チューブ部材を用いて就寝者の体動を検出する睡眠判定装置では、チューブ部材に何らかの異常が生じてしまうことで、誤った睡眠判定を行ってしまうことがある。
【０００６】
具体的には、例えば特許文献１に開示のチューブ部材は、受圧部に着脱自在に接続されている。このため、チューブ部材が受圧部から外れてしまうと、チューブ部材の内圧が受圧部に作用しなくなり、睡眠の判定に誤りが生じてしまう。また、チューブ部材が破れたりして穴が空いてしまった場合にも、チューブ部材の内圧が受圧部に正確に作用しなくなり、睡眠の判定に誤りが生じてしまう。従って、このようなチューブ部材の異常を正確に検出し、睡眠の誤判定を解消できる睡眠判定装置が望まれる。
【０００７】
本発明は、かかる点に鑑みてなされたものであり、その目的は、チューブ部材の異常を正確に検出できるようにすることである。
【課題を解決するための手段】
【０００８】
第１の発明は、就寝者の体動が作用する中空状のチューブ部材（21）と、該チューブ部材（21）の端部が接続されると共に該チューブ部材（21）の内圧を検知する受圧部（22）とを備え、該受圧部（22）の検知圧力に基づいて就寝者の睡眠状態を判定する睡眠判定装置を対象とする。そして、この睡眠判定装置は、寝室内に臨むにように配設されて寝室内の圧力が作用する補助受圧部（36）と、上記受圧部（22）の検知圧力と上記補助受圧部（36）の検知圧力とを比較することで、上記チューブ部材（21）の異常状態を検出する異常検出部（44）とを更に備えていることを特徴とする。
【０００９】
第１の発明では、就寝者の体動がチューブ部材（21）に作用すると、チューブ部材（21）の内圧が変化し、この内圧の変化が受圧部（22）に作用する。睡眠判定装置では、この受圧部（22）の検知圧力に基づいて就寝者の睡眠状態が判定される。
【００１０】
本発明の睡眠判定装置には、補助受圧部（36）が設けられる。補助受圧部（36）は、チューブ部材（21）が取り付けられておらず寝室内に臨んでいる。このため、補助受圧部（36）には、就寝者の体動に伴う圧力がそのまま検知されることはない。本発明では、補助受圧部（36）の検知圧力と受圧部（22）の検知圧力とを比較することで、チューブ部材（21）が受圧部（22）から外れていないか、チューブ部材（21）が破れていないか等のチューブ部材（21）の異常状態が検出される。即ち、仮にチューブ部材（21）が受圧部（22）から外れていたり、破れていたりすると、就寝者の体動に伴うチューブ部材（21）の内圧が受圧部（22）に作用せず、該受圧部（22）には寝室内の圧力が作用する。従って、チューブ部材（21）が異常状態である場合の受圧部（22）と補助受圧部（36）とには同じような圧力が作用する。一方、チューブ部材（21）が正常状態である場合の受圧部（22）と補助受圧部（36）とには異なった圧力が作用する。そこで、異常検出部（44）は、受圧部（22）の検知圧力と補助受圧部（36）の検知圧力とを比較することで、チューブ部材（21）の異常状態を検出するようにしている。これにより、チューブ部材（21）の異常状態を速やかに検知し、何らかの対策を講じることができる。
【００１１】
第２の発明は、第１の発明において、上記受圧部（22）には、上記チューブ部材（21）の端部が着脱自在に取り付けられる連結部（23）が設けられていることを特徴とする。
【００１２】
第２の発明の受圧部（22）には、連結部（23）が設けられる。チューブ部材（21）は、連結部（23）に着脱自在に取り付けられる。これにより、チューブ部材（21）の交換やメンテナンス等が容易となる。一方、このようにチューブ部材（21）を連結部（23）に着脱自在に構成すると、就寝者の体動に伴ってチューブ部材（21）が連結部（23）から外れやすくなってしまう。しかしながら、本発明の睡眠判定装置には、上記異常検出部（44）が設けられているため、チューブ部材（21）が連結部（23）から外れたことを速やかに検知し、何らかの対策を講じることができる。
【００１３】
第３の発明は、第１又は第２の発明において、上記異常検出部（44）が、上記チューブ部材（21）の異常状態を検出すると、異常信号を表示する表示部（33,34,35）を更に備えていることを特徴とする。
【００１４】
第３の発明では、異常検出部（44）によってチューブ部材（21）の異常状態が検出されると、表示部（33,34,35）が異常信号を表示する。これにより、ユーザー等がチューブ部材（21）の異常を速やかに認識することができる。
【００１５】
第４の発明は、第１乃至第３のいずれか１つの発明において、上記補助受圧部（36）は、寝室内の音を検知するための音検知部を兼ねていることを特徴とする。
【００１６】
第４の発明の補助受圧部（36）は、異常検出部（44）によるチューブ部材（21）の異常状態の検知のためだけでなく、寝室内の音を検知するための音検知部としても利用される。即ち、補助受圧部（36）には、寝室内の圧力が作用するため、この圧力によって寝室内の騒音や就寝者のいびきの大きさ等を把握することができる。
【発明の効果】
【００１７】
本発明によれば、チューブ部材（21）の内圧が作用する受圧部（22）とは別に寝室内に臨む補助受圧部（36）を設け、受圧部（22）の検知圧力と補助受圧部（36）の検知圧力とを比較している。これにより、本発明では、チューブ部材（21）の異常状態を速やか且つ容易に検知することができる。従って、異常状態の検知後にチューブ部材（21）のメンテナンスを行ったり、異常状態と検知された後の睡眠判定の結果を無効としたりすることができる。その結果、睡眠判定装置で誤判定が行われるのを防止でき、この睡眠判定装置の信頼性を向上できる。
【００１８】
特に、第２の発明では、チューブ部材（21）が連結部（23）に着脱自在となっていることから、チューブ部材（21）が受圧部（22）から外れてしまう可能性が高くなる。しかしながら、本発明では、このようなチューブ部材（21）の抜けを確実に検知することができる。このため、チューブ部材（21）と速やかに連結部（23）に取り付けたり、睡眠判定の結果を無効にする等の何らかの対策を速やかに講じることができる。
【００１９】
また、第３の発明では、チューブ部材（21）の異常状態が検知されると、表示部（33,34,35）に異常信号を表示するようにしている。これにより、本発明によれば、ユーザー等がチューブ部材（21）の異常状態を視認することができ、ユーザーによるチューブ部材（21）のメンテナンスを促すことができる。
【００２０】
第４の発明では、補助受圧部（36）が、寝室内の音を検知するための音検知部を兼ねている。これにより、本発明によれば、寝室内の騒音や就寝者のいびき等を補助受圧部（36）で検知することができる。従って、このような寝室の音に関する情報を睡眠判定装置のデータとして利用することができる。
【発明を実施するための最良の形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
実施形態に係る睡眠判定装置（10）は、就寝者の睡眠状態を判定し、この判定結果を適宜記憶していくものである。睡眠判定装置（10）に記憶された睡眠状態に関するデータは、健康管理等に利用される。図１及び図２に示すように、睡眠判定装置（10）は、センサ部（20）と本体部（30）とで構成されている。センサ部（20）は、感圧チューブ（21）と受圧ユニット（22）とを備えている。
【００２３】
感圧チューブ（21）は、就寝者の体動が作用する中空状のチューブ部材を構成している。感圧チューブ（21）は、大径チューブ部（21a）と小径チューブ部（21b）と封止部（21c）で構成されている。大径チューブ部（21a）及び小径チューブ部（21b）は、両端が開口する細長のチューブであり、可撓性又は弾性の材料で構成されている。大径チューブ部（21a）は、ベッド等の寝具上に敷設される。
【００２４】
大径チューブ部（21a）は、小径チューブ部（21b）よりも大径に構成されている。大径チューブ部（21a）の一端側の開口は、封止部（21c）によって閉塞されている。大径チューブ部（21a）の他端側の開口には、小径チューブ部（21b）の一端が内嵌して接続されている。小径チューブ部（21b）の他端は、本体部（30）に接続されている。
【００２５】
図１〜図３に示すように、本体部（30）は、扁平な箱状のケーシング（31）を備えている。ケーシング（31）の側面には、円形の開口が形成されており、この開口に上記受圧ユニット（22）が嵌め込まれている。
【００２６】
受圧ユニット（22）は、感圧チューブ（21）の端部が接続されると共に該感圧チューブ（21）の内圧を検知する受圧部を構成している。受圧ユニット（22）は、連結部（23）とマイクロフォン（24）とで構成されている。連結部（23）は、内方に凹んだ筒状の凹部（23a）と、該凹部（23a）の軸心から外方へ突出する筒状の凸部（23b）とが一体形成されて構成されている。凸部（23b）には、小径チューブ部（21b）の他端が着脱自在に接続している。つまり、連結部（23）には、感圧チューブ（21）の端部が着脱自在に取り付けられる。凸部（23b）の軸心には、連通穴（23c）が形成されており、この連通穴（23c）がケーシング（31）の背面側の内部空間に連通している。この内部空間に上記マイクロフォン（24）が収容されている。
【００２７】
マイクロフォン（24）は、感圧チューブ（21）の内圧を検知する圧力検知手段を構成している。即ち、就寝者の体動が感圧チューブ（21）に作用すると、この感圧チューブ（21）の内圧が連通穴（23c）を通じてマイクロフォン（24）に作用する。マイクロフォン（24）は、検知した圧力に応じた信号（以下、体動信号という）を出力する。この体動信号は、ケーシング（31）に内蔵された回路ユニットに入力される。
【００２８】
本体部（30）には、ケーシング（31）の上面に、照度センサ（32）と３つのＬＥＤ（33,34,35）と補助マイクロフォン（36）とが設けられている。照度センサ（32）は、寝室の照度を測定するものである。照度センサ（32）で測定された照度は、睡眠情報として回路ユニットに記憶される。また、ＬＥＤ（33,34,35）は、睡眠判定装置（10）の動作状態を示すものである。即ち、ＬＥＤ（33,34,35）は、睡眠判定装置（10）の動作状態に応じて、点灯／点滅等を行う。また、ＬＥＤ（33,34,35）は、感圧チューブ（21）が異常状態となった場合に、所定の異常信号（点灯/点滅等）を表示する表示部を構成している。
【００２９】
補助マイクロフォン（36）は、ケーシング（31）の上面に形成された円形開口部（31a）内に嵌り込んでいる。補助マイクロフォン（36）は、円形開口部（31a）を通じてケーシング（31）の外部に露出している。即ち、補助マイクロフォン（36）は、寝室内に臨むように配設されて寝室内の圧力が作用する補助受圧部を構成している。補助マイクロフォン（36）で検知された圧力は、上記マイクロフォン（24）で検知された圧力と同様、回路ユニットに入力される。
【００３０】
図４に示すように、睡眠判定装置（10）の回路ユニットには、信号処理部（41）と睡眠判定部（42）と記憶部（43）と異常検出部（44）とが設けられている。
【００３１】
信号処理部（41）は、マイクロフォン（24）から出力された体動信号を所定レベル、所定周波数帯域の信号に変調するものである。また、信号処理部（41）は、入力された信号に基づいて、就寝者の呼吸由来の信号（呼吸信号）や、就寝者の心拍由来の信号（心拍信号）をフィルタリングして抽出する。また、信号処理部（41）には、補助マイクロフォン（36）から出力された信号（以下、補助信号という）も入力される。信号処理部（41）では、この補助信号についても、上記体動信号と同様の信号処理が可能となっている。
【００３２】
睡眠判定部（42）は、上記体動信号（呼吸信号や心拍信号も含む）に基づいて、就寝者の睡眠状態を判定する。具体的には、睡眠判定部（42）は、就寝者が寝具に在床しているか、離床しているか、就寝者が寝具上で睡眠しているか、覚醒しているか、等の判定が行われる。これらの判定は、上記体動信号のレベルと、所定の判定閾値との比較によって行われる。
【００３３】
記憶部（43）は、上記の体動信号及び睡眠判定の結果を時々刻々と記憶していく。具体的には、記憶部（43）には、就寝者が寝具に入床した時刻、入床後に入眠した時刻、入眠後に中途覚醒した時刻や回数、朝等に目覚めた時刻、寝具から離床した時刻等が、記憶されていく。就寝者がこれらのデータを参照することで、就寝者の睡眠状態が良好であったか否か、所定の睡眠障害を抱えていないか等を判断することができる。
【００３４】
異常検出部（44）は、感圧チューブ（21）の異常状態を検出するものである。具体的には、異常検出部（44）は、感圧チューブ（21）が凸部（23b）から外れてしまったり、感圧チューブ（21）が破れてしまったりしたことを、異常状態として検出する（詳細は後述する）。
【００３５】
また、記憶部（43）には、補助マイクロフォン（36）から出力された補助信号が、寝室の音に関する情報として記憶される。つまり、補助マイクロフォン（36）は、寝室内の音を検知するための音検知部を兼ねている。このような音情報に基づいて、就寝者のいびきや寝室の騒音等を把握することができる。
【００３６】
−異常検出動作−
異常検出部（44）による感圧チューブ（21）の異常状態の検出動作について説明する。異常検出動作は、就寝者が朝目覚めて記憶部（43）に一晩の睡眠情報が記憶された後に、実行される。図５に示すように、異常検出動作が開始されると、ステップＳＴ１において、総睡眠時間が所定時間（例えば９０分）以上であったか否かの判定が行われる。なお、ここでいう総睡眠時間は、就寝者が寝具上で夜等に入眠したと判定されてから寝具上で朝等に目覚めたと判定されるまでの時間である。総睡眠時間が９０分以上である場合には、ステップＳＴ２へ移行する。
【００３７】
ステップＳＴ２では、記憶部（43）に記憶された体動信号と補助信号とについて、同じ区間ｔ１における平均値が算出される。つまり、異常検出部（44）は、マイクロフォン（24）の検知圧力に基づく体動信号と、補助マイクロフォン（36）の検知圧力に基づく補助信号とについて、各信号レベルの平均値を算出する。ここで、区間ｔ１としては、例えば就寝者が入眠してから目覚めるまでの睡眠期間が用いられる。また、上記体動信号及び補助信号は、上記信号処理部（41）で処理がされる前の信号であっても良いし、信号処理部（41）によって抽出された心拍や呼吸由来の信号であっても良い。本実施形態では、体動信号及び補助信号について、フィルタによって心拍由来の信号を抽出したものが用いられる。
【００３８】
次いでステップＳＴ３では、体動信号の平均値と補助信号の平均値との比較が行われる。ここで、昨晩において、例えば感圧チューブ（21）が連結部（23）に正常に接続されており、就寝者の体動がマイクロフォン（24）に正常に作用していたとする。この場合には、図６に示すように、就寝者の睡眠期間（期間ｔ１）において、就寝者の体動に伴って体動信号の信号レベルが大きくなる。これに対し、例えば感圧チューブ（21）が連結部（23）から外れており、就寝者の体動がマイクロフォン（24）に正常に作用していなかったとする。この場合には、例えば図７に示すように、就寝者の睡眠期間（期間ｔ１）において、就寝者の体動に伴って体動信号の信号レベルが大きくなることがない。そして、この場合の体動信号の信号レベルは、感圧チューブ（21）が接続されていない補助マイクロフォン（36）で検出された補助信号と同じようなレベル／傾向となる。そこで、ステップＳＴ３では、このような点に着目して、体動信号と補助信号とを比較して、感圧チューブ（21）の異常を検知するようにしている。
【００３９】
即ち、ステップＳＴ３では、体動信号の平均値と補助信号の平均値との差が算出される。ここで、仮に感圧チューブ（21）が正常である場合には、体動信号及び補助信号の信号レベルに大きな差が生じる。従って、この場合には、この差が所定値より大きくなり、ステップＳＴ５へ移行して感圧チューブ（21）が正常と判断される。一方、仮に感圧チューブ（21）が異常である場合には、体動信号と補助信号とが同様のレベル／傾向となるため、両者の信号のレベルに大きな差が生じない。従って、この場合には、この差が所定値以下となり、ステップＳＴ４へ移行する。その結果、ステップＳＴ４では、感圧チューブ（21）が異常であると判定される。
【００４０】
なお、このような異常検知の方法は、単なる一例である。それ以外の方法としては、例えば体動信号の平均値が、補助信号の平均値の所定倍以下となった場合に異常と判定することや、複数の区間でそれぞれ体動信号及び補助信号の平均値を算出し、各期間での平均値をそれぞれ比較する方法等が挙げられる。
【００４１】
ステップＳＴ４で感圧チューブ（21）が異常と判定されると、ＬＥＤ（33,34,35）に異常信号が表示される（ステップＳＴ５）。これにより、ユーザーは感圧チューブ（21）の異常を速やかに視認でき、迅速な対応を促すことができる。更に、記憶部（43）には、期間ｔ１について、感圧チューブ（21）が異常であったことが記憶される（ステップＳＴ６）。これにより、記憶部（43）に記憶された睡眠データを無効とでき、就寝者の睡眠状態の誤判定を防止することができる。
【００４２】
−実施形態の効果−
上記実施形態では、感圧チューブ（21）の内圧が作用するマイクロフォン（24）とは別に、寝室内に臨む補助マイクロフォン（36）を設け、マイクロフォン（24）の検知圧力と補助マイクロフォン（36）の検知圧力とを比較している。これにより、感圧チューブ（21）が外れていたり、感圧チューブ（21）が破れていたりする異常状態を速やか且つ容易に検知することができる。従って、異常状態の検知後に感圧チューブ（21）のメンテナンスを行ったり、異常状態と検知された後の睡眠判定の結果を無効としたりすることができる。その結果、睡眠判定装置（10）で誤判定が行われるのを防止でき、この睡眠判定装置（10）の信頼性を向上できる。
【００４３】
また、感圧チューブ（21）の異常状態が検知されると、ＬＥＤ（33,34,35）に異常信号を表示するようにしている。これにより、ユーザー等が感圧チューブ（21）の異常状態を視認することができ、ユーザーによる感圧チューブ（21）のメンテナンスを促すことができる。
【００４４】
更に補助マイクロフォン（36）は、寝室内の音を検知するための音検知部を兼ねている。これにより、寝室内の騒音や就寝者のいびき等を補助マイクロフォン（36）で検知することができる。従って、このような寝室の音に関する情報を睡眠判定装置（10）のデータとして利用することができる。
【産業上の利用可能性】
【００４５】
以上説明したように、本発明は、就寝者の体動が作用するチューブ部材を備え、就寝者の睡眠状態を判定する睡眠判定装置について有用である。
【図面の簡単な説明】
【００４６】
【図１】図１は、実施形態に係る睡眠判定装置の全体構成を示す概略構成図である。
【図２】図２は、睡眠判定装置の全体構成を示す概略構成図である。
【図３】図３(Ａ)は、睡眠判定装置の本体部の上面図であり、図３(Ｂ)は、睡眠判定装置の本体部の側面図である。
【図４】図４は、回路ユニットのブロック図である。
【図５】図５は、異常検出動作の一例を示すフローチャートである。
【図６】図６は、感圧チューブが正常である場合の体動信号の経時変化を示すグラフである。
【図７】図７は、感圧チューブが異常である場合の体動信号の経時変化を示すグラフである。
【符号の説明】
【００４７】
10        睡眠判定装置
21        チューブ部材（感圧チューブ）
22        マイクロフォン（受圧部）
23        連結部
33,34,35  ＬＥＤ（表示部））
36        補助マイクロフォン（補助受圧部）
44        異常検出部
【図１】
2010075379.tif 000003
【図２】
2010075379.tif 000004
【図３】
2010075379.tif 000005
【図４】
2010075379.tif 000006
【図５】
2010075379.tif 000007
【図６】
2010075379.tif 000008
【図７】
2010075379.tif 000009